(57)【要約】【課題】パチンコ機等の遊技機において、障害釘の大きな曲げ変形により所謂一発台となることを防止しつつ、障害釘の微調整は可能となるように構成した遊技機を提供する。【解決手段】パチンコ機に、普通図柄作動ゲート１５における開口部１５ａの左下部に付設されると共に遊技球Ｂａを始動入賞装置５５側に誘導する障害釘８３と、該障害釘８３からの遊技球Ｂａを矢印Ｘ，Ｙに示す経路に振り分ける障害釘８２と、を備え、さらに上記障害釘８３の外周面の少なくとも一部を沿うように配設されるカバー部材８０を備えさせる。これにより、障害釘８３に当接した遊技球Ｂａを安定して始動入賞装置５５の位置する側に誘導させることができるようになる。【選択図】図３
2007209665.tif 000002
【特許請求の範囲】
【請求項１】
大当たりの確定に伴う賞球を得るための入賞が行われる大入賞口と、該大当りの抽選の契機となる入賞が行われる始動口と、該始動口より上側に位置し円形状の通過孔に遊技球を通過させることによって前記始動口が有する羽根扉の開閉に係る抽選契機を検知するゲート部材と、を遊技領域に備え、該遊技領域に遊技球を打ち出して遊技してなる遊技機において、
前記通過孔下方に配設され、該通過孔を通過した遊技球を当接させることによって前記始動口が位置する側に誘導する第１障害釘と、
前記始動口上方に配設され、前記第１障害釘からの遊技球が当接した際、該遊技球を、前記始動口に入球し得る始動口経路と、それ以外の他の経路とに振り分けるように誘導する第２障害釘と、
前記第１障害釘における前記始動口に面していない側の外周面の少なくとも一部を沿うように配設されるカバー部材と、を備えてなる、
ことを特徴とする遊技機。
【請求項２】
前記始動口の直上方で且つ前記第１障害釘と略々水平をなす位置に配設され、該第１障害釘からの遊技球が当接した際に該遊技球を主に前記第２障害釘と前記始動口とが位置する下方側に誘導する軌道変更部材を備えてなる、
請求項１に記載の遊技機。
【請求項３】
前記カバー部材は、前記ゲート部材、前記始動口、前記第２障害釘、前記軌道変更部材と共に単一ユニットをなすアッシー部材に搭載される、
請求項２に記載の遊技機。
【請求項４】
前記第１障害釘は、該第１障害釘に当接した後の遊技球が、前記第２障害釘と前記軌道変更部材とによって、前記始動口経路と前記他の経路とに略々１対４の誘導比率となるように振り分ける配設姿勢に予め調整されてなる、
請求項２又は３に記載の遊技機。
【発明の詳細な説明】
【技術分野】
【０００１】
本発明は、パチンコ機等の遊技機に係り、詳しくは、遊技盤に植設された障害釘の変形を防ぐようにした変形防止構造を備えた遊技機に関する。
【背景技術】
【０００２】
遊技機には、所謂第１種特別電動役物を用いたパチンコ機（以下、第１種パチンコ遊技機という）や、所謂第２種特別電動役物を用いたパチンコ機（以下、第２種パチンコ遊技機という）と称されるものがあり、従来から広く親しまれている。第１種パチンコ遊技機は、所定の遊技領域が設けられた遊技盤と、遊技領域に設けられて遊技球が通過可能な始動口と、始動口を遊技球が通過すると所定の抽選（電気的な抽選）を行う抽選手段と、抽選手段による抽選の結果に基づいて図柄を変動表示可能な図柄表示装置と、を備えて構成される。そして、図柄表示装置に停止表示された図柄が予め定められた当たり図柄であるときに、遊技領域の下部に設けられた大入賞装置により大入賞口を開放して遊技球の入賞を容易にすることで、遊技者に通常遊技よりも有利な特別遊技を行わせるようになっている（例えば、特許文献１参照）。
【０００３】
また、第２種パチンコ遊技機は、所定の遊技領域が設けられた遊技盤と、遊技領域に設けられて遊技球が通過可能な始動口と、遊技領域に設けられて側部に形成された大入賞口を通じて遊技球が内部に入球可能な役物と、役物の外周部に設けられて大入賞口を開閉可能とする開閉部材（所謂羽根）と、を備えて構成される。そして、始動口を遊技球が通過することで開閉部材が大入賞口を開放し、羽根部材に拾われて大入賞口を通過（入賞）した遊技球が役物の外部に排出するための排出口、又はＶゾーンと称される入賞口に振り分けられ（機械的な抽選）、このＶゾーンに入球すると、開閉部材が大入賞口を比較的長い時間開閉動作を繰り返して遊技球の入賞を容易にすることで、遊技者に特別遊技を行わせるようになっている（例えば、特許文献２参照）。
【０００４】
【特許文献１】特開２００３−２３６２１０号公報
【特許文献２】特開２００４−８９２１８号公報
【発明の開示】
【発明が解決しようとする課題】
【０００５】
上述のように第１種パチンコ遊技機では電気的な抽選の遊技を行うことができ、第２種パチンコ遊技機では機械的な抽選の遊技を行うことができるものであるが、これら双方の遊技を同一のパチンコ遊技機で行うことができれば遊技性に富むものとなる。そこで本出願人は、双方の機能を兼ね備えたパチンコ遊技機を案出している。
【０００６】
ところで、このように第１種及び第２種双方の機能を備えるパチンコ機にあっては、その遊技の特性上、ある特定箇所の障害釘の配設姿勢によって遊技者の遊技状態（有利又は不利）が大きく変動してしまうことがある。したがって、そのような特定箇所の障害釘における配設姿勢を可及的に保持し得ると共に、当初からの遊技状態を可及的に維持し得るパチンコ機が切望される。
【０００７】
そこで本発明は、所定箇所に配設される障害釘を防護する構造を形成し、該障害釘の当初からの配設姿勢を可及的に保持し得るように構成し、もって上記課題を解決した遊技機を提供することを目的とするものである。
【課題を解決するための手段】
【０００８】
請求項１に係る本発明は（例えば図１ないし図５参照）、大当たりの確定に伴う賞球を得るための入賞が行われる大入賞口（１６，２８）と、該大当りの抽選の契機となる入賞が行われる始動口（１３，１４，５５）と、該始動口（５５）より上側に位置し円形状の通過孔（１５ａ）に遊技球（Ｂａ）を通過させることによって前記始動口（１４）が有する羽根扉の開閉に係る抽選契機を検知するゲート部材（１５）と、を遊技領域（３ａ）に備え、該遊技領域（３ａ）に遊技球（Ｂａ）を打ち出して遊技してなる遊技機（１）において、
前記通過孔（１５ａ）下方に配設され、該通過孔（１５ａ）を通過した遊技球（Ｂａ）を当接させることによって前記始動口（５５）が位置する側に誘導する第１障害釘（８３）と、
前記始動口（５５）上方に配設され、前記第１障害釘（８３）からの遊技球（Ｂａ）が当接した際、該遊技球（Ｂａ）を、前記始動口（５５）に入球し得る始動口経路（Ｘ）と、それ以外の他の経路（Ｙ）とに振り分けるように誘導する第２障害釘（８２）と、
前記第１障害釘（８３）における前記始動口（５５）に面していない側の外周面の少なくとも一部を沿うように配設されるカバー部材（８０）と、を備えてなる、
ことを特徴とする遊技機（１）にある。
【０００９】
請求項２に係る本発明は（例えば図２及び図３参照）、前記始動口（５５）の直上方で且つ前記第１障害釘（８３）と略々水平をなす位置に配設され、該第１障害釘（８３）からの遊技球（Ｂａ）が当接した際に該遊技球（Ｂａ）を主に前記第２障害釘（８２）と前記始動口（５５）とが位置する下方側に誘導する軌道変更部材（８１）を備えてなる、
請求項１に記載の遊技機（１）にある。
【００１０】
請求項３に係る本発明は（例えば図２及び図３参照）、前記カバー部材（８０）は、前記ゲート部材（１５）、前記始動口（５５）、前記第２障害釘（８２）、前記軌道変更部材（８１）と共に単一ユニットをなすアッシー部材（４８）に搭載される、
請求項２に記載の遊技機（１）にある。
【００１１】
請求項４に係る本発明は（例えば図３参照）、前記第１障害釘（８３）は、該第１障害釘（８３）に当接した後の遊技球（Ｂａ）が、前記第２障害釘（８２）と前記軌道変更部材（８１）とによって、前記始動口経路（Ｘ）と前記他の経路（Ｙ）とに略々１対４の誘導比率となるように振り分ける配設姿勢に予め調整されてなる、
請求項２又は３に記載の遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、遊技機に、ゲート部材の通過孔下方に配設され、該通過孔からの遊技球を当接させることによって始動口側に誘導する第１障害釘と、第１障害釘からの遊技球が当接した際、該遊技球を、始動口経路と、それ以外の他の経路とに振り分けるように誘導する第２障害釘と、第１障害釘における始動口に面していない側の外周面の少なくとも一部を沿うように配設されるカバー部材と、を備えさせる。これにより、第１障害釘は、遊技球の当接等を理由とし、カバー部材が配設されている方向に対して両者の間隙によって許容される程度には傾くことが可能となるが、それ以上の傾斜姿勢に変位されることは抑制されるものとなる。これにより、遊技領域に配設させた第１障害釘の当初の配設姿勢を可及的に保持させることができ、該第１障害釘に当接した遊技球を安定して始動口の位置する側に誘導させることができることとなる。したがって、その後の第２障害釘による遊技球の経路の振り分けが安定的になされるようになり、第１障害釘からの遊技球の始動口への入賞状態が偏ることを抑制することができるものとなる。
【００１４】
請求項２に係る本発明によると、始動口の直上方で且つ第１障害釘と略々水平をなす位置に配設され、該第１障害釘からの遊技球が当接した際に該遊技球を主に第２障害釘と始動口とが位置する下方側に誘導する軌道変更部材を備えてなるので、第１障害釘に当接した後の遊技球のうち、始動口に当接する可能性が低い、例えば第１障害釘の真横方向に跳躍するような遊技球の進行方向をさらに軌道修正し、一層精度よく始動口が位置する軌道変更部材の下方側に誘導させることができる。
【００１５】
請求項３に係る本発明によると、カバー部材が、ゲート部材、始動口、第２障害釘、軌道変更部材と共に単一ユニットをなすアッシー部材に搭載されるので、第１障害釘の特定方向への調整を不能にするカバー部材を、ゲート部材や、第１障害釘の調整によってその遊技球の接触動作が左右されるものとなる始動口、第２障害釘、及び軌道部材等と共に、単一ユニットであるアッシー部材として遊技機に配設させることができる。これにより、これら複数部品に係る位置決め等の手間を省くことができるものとなり、遊技機の組み付け工程数を確実に低減させ、効率化を図ることができる。
【００１６】
請求項４に係る本発明によると、第１障害釘が、該第１障害釘に当接した後の遊技球を、第２障害釘と軌道変更部材とによって、始動口経路と他の経路とに略々１対４の誘導比率となるように振り分ける配設姿勢に予め調整されてなるので、ゲート部材を通過した遊技球が始動口に入賞し得る確率を、当該遊技機における設計時の仕様に略々忠実となる値、つまり１対４の誘導比率に近づけることができる。これにより、当該遊技機の遊技性を有効に保持させることができるものとなる。
【発明を実施するための最良の形態】
【００１７】
以下、本発明に係る遊技機の実施形態として、遊技場等に設置されるパチンコ機を図面に沿って説明する。図１は本パチンコ機の外部構造を示す正面図、図２は遊技領域を拡大して示す正面図、図３は始動入賞口とスルーゲートを一体化したユニット部を示す正面図、図４は本パチンコ機の背面構造を示す背面図、図５は本パチンコ機の制御系を示すブロック図である。なお、後述する実施の形態では、本発明の遊技機を、所謂第１種特別電動役物の機能と第２種特別電動役物の機能の双方を使用したパチンコ機（所謂１種２種パチンコ遊技機）に適用した例を挙げて説明する。
【００１８】
パチンコ機１は、図１に示すように、外郭方形枠サイズに構成されて縦向きの固定保持枠をなす外枠７の開口前面に、これに合わせた方形枠サイズに構成される開閉搭載用の前枠８の左側上下部に対向するように配設されたヒンジ部材（図示せず）で横開き開閉及び着脱が可能に取り付けられ、右側中央部に設けられた施錠装置２を利用して常には外枠７と係合された閉鎖状態に保持される。
【００１９】
前枠８の各部には、パチンコ遊技を展開する遊技展開部材として、前枠８の前側面域に合わせた方形状のガラス扉５及び球皿２９が正面左側部に設けられたヒンジ機構（図示せず）を利用してそれぞれ横開き開閉及び着脱が可能に組付けられ、球皿２９の右側下部には遊技球の発射操作を行う操作ハンドル１８が装備されている。前枠８の中央部から上部にかけて後方に突出する方形枠状の収容枠（図示せず）が前枠８と一体に形成されており、この収容枠に所定のゲージ設定で構成された遊技盤３が着脱可能にセット保持され、常には閉鎖保持されるガラス扉５に遊技盤３正面の遊技領域３ａを臨ませている。
【００２０】
遊技盤３の遊技領域３ａには、障害釘４７といった道釘等をなす障害釘（一部のみ図示）や風車４６等が多数打ち込まれており、遊技領域３ａの中央部近傍には、センター飾り４１が配設されている。このセンター飾り４１は、後に詳述するが、遊技領域３ａから露出した状態にて各種演出を表示する装飾図柄表示装置１２を備えている。また、遊技領域３ａの下部には、通過始動口１３ａを有する始動入賞装置（始動口）１３が設けられている。通過始動口１３ａを遊技球が通過すると、この遊技球は、始動入賞装置１３内に設けられた入賞検出センサ２３（図５参照）で検出された後、遊技盤３の裏面側へ排出される。
【００２１】
更に、始動入賞装置１３の右方下側には、開放始動口１４ａを有する普通電動役物（始動口）１４が設けられている。開放始動口１４ａを遊技球が通過すると、この遊技球は、普通電動役物１４内に設けられた入賞検出センサ２４（図５参照）で検出された後、遊技盤３の裏面側へ排出される。普通電動役物１４は、始動入賞装置１３の下方に隣接して設けられた開閉型の入賞装置であり、この普通電動役物１４が閉鎖状態にあるときには、その入口部分が障害釘４５に塞がれ、遊技球は普通電動役物１４に入賞できず、普通電動役物１４が開放状態にあるときには、遊技球が普通電動役物１４に入賞できるようになっている。
【００２２】
普通電動役物１４のやや右上方には、遊技球が通過可能な普通図柄作動ゲート１５が配設され、普通図柄作動ゲート１５の右下方には通過始動口５５ａを有する始動入賞装置（始動口）５５が設けられている。該通過始動口５５ａを遊技球が通過すると、この遊技球は、始動入賞装置５５内に設けられた入賞検出センサ５３（図５参照）で検出された後、遊技盤３の裏面側へ排出される。
【００２３】
また、普通電動役物１４の左下方には、第１大入賞口１６ａを開閉する第１大入賞装置（大入賞口）１６が設けられる。第１大入賞装置１６は、大当たり遊技等の通常遊技よりも遊技者に有利となる特別遊技の実行中に、第１大入賞口ソレノイド２６（図５参照）によって第１大入賞口１６ａを開放し、遊技球を第１大入賞口１６ａに対して通過容易にする。
【００２４】
第１大入賞口１６ａは、遊技領域３ａの下部に設けられた横長の矩形形状を呈した入賞口であり、第１大入賞口１６ａが閉鎖状態にあるときには、遊技球は第１大入賞口１６ａを通過することができず、第１大入賞口１６ａが開放状態になったときに、遊技球が第１大入賞口１６ａを通過することが可能となる。遊技球が、第１大入賞口１６ａを通過すると、第１大入賞装置１６内に設けられた入賞検出センサ２７（図５参照）に検出された後、遊技盤３の裏面側へ排出される。
【００２５】
また、遊技領域３ａの左下部には、普通図柄作動ゲート１５での遊技球の通過を契機として行われる抽選の結果に基づいて普通図柄を変動表示する普通図柄表示装置１７が設けられる。更に、遊技領域３ａの左下部には、普通入賞口１８ａを有する複数の普通入賞装置１８が設けられ、流下してくる遊技球が普通入賞口１８ａを通過すると、普通入賞装置１８内に設けられた入賞検出センサ（図示せず）で検出された後、遊技盤３の裏面側へ排出される。また、遊技領域３ａの下端には、遊技領域３ａに打ち出された後、いずれの入賞装置にも入賞せずに落下してきた遊技球を遊技盤３の裏面側へ排出させるアウト口（図示せず）が設けられている。
【００２６】
そして、前枠８における下部中央には球皿２９が設けられており、球皿２９における右上部には、賞球及び貸球を含む遊技球Ｂａが供給される球供給口３９が設けられ、球皿２９における右上部壁面には、球貸ボタン１９ａ及びプリペイドカード返却ボタン１９ｂが設けられている。球皿２９の中央左部には、該球皿２９上の遊技球Ｂａを発射装置付近から皿ユニット下部の球排出口（図示せず）を通して下方に排出するための第１球抜きボタン３６ａが配設されており、球皿２９の中央下部には、球皿２９上の遊技球を球供給口３９付近から上記球排出口を通して下方に排出するための第２球抜きボタン３６ｂが配設されている。また、前枠８における球皿２９の右方下部には、操作ハンドル１８が設けられている。更に、球皿２９の下部左方には灰皿３８が配設されている。なお、図中の符号２１は効果音を発する放音装置を示し、符号２２は照明装置を示している。
【００２７】
前枠８の裏面側には、図４に示すように、中央に前後連通する窓口を有して前枠８よりもやや小型の方形枠状に形成された裏セット盤３０が、前枠８の裏面に設けられた複数のレバーＬ，Ｌ…を利用して着脱可能にセット保持されている。裏セット盤３０の各部には、遊技球を貯留する球貯留タンク３１、タンクレール３２、整列待機通路３３、賞球カセット３４、賞球排出通路３５などの賞球装置が装備されると共に、裏面各部に電源基板４０や主基板５０等の各種制御基板及び電子部品等が取り付けられ、これらの各機器及び遊技盤３の裏面に取り付けられたサブ制御基板６０が、不図示のワイヤーハーネスで接続されている。
【００２８】
球皿２９に前面側が覆われた前枠８の下部領域には、遊技補助盤（図示せず）と称される補助機構部が形成されており、この遊技補助盤の各部には、打球発射装置（図示せず）や、裏セット盤３０側の賞球排出通路３５と連絡され、球皿２９に排出できない遊技球を一時貯留する貯留カセット（図示せず）などが設けられている。
【００２９】
次に、上述した遊技盤３に備えた主要な役物について図１ないし図３に沿ってより詳細に説明する。
【００３０】
すなわち、図２に示すように、センター飾り４１は、中央部に装飾図柄表示装置１２の表示面を露出する開口部４１ａを有しており、開口部４１ａの下側に、センター飾り４１の左右幅方向に延在するステージ形状の球受け通路６６を有している。球受け通路６６の中央部には、後述する開閉装置４４から落下してくる遊技球Ｂａをセンター飾り４１、つまり遊技盤３の背面側へと排出させる特別入賞口６３とその左右に入賞口６４，６４とが設けられている。球受け通路６６は、該通路６６の前面から背面側（図２の紙面奥行き側）に向けて下降傾斜しており、特別入賞口６３又は入賞口６４，６４に遊技球が入球した際には、これらの内部に設けられた入賞検出センサ（図示せず）に検出された後、遊技盤３の背面側へと排出される。
【００３１】
装飾図柄表示装置１２は、液晶ディスプレイ等から構成されており、例えば装飾図柄表示装置１２の表示面の隅部分（上端もしくは左右端のいずれかの部分）には、後述する第１抽選手段２１２による抽選（以下、第１の抽選と称する）の結果に基づいて特別図柄（図示せず）を変動表示する特別図柄表示部が設けられていると共に、特別図柄と連動して装飾図柄（図示せず）をその特別図柄表示部以外の表示面に変動表示する。特別図柄は、始動入賞装置１３あるいは始動入賞装置５５への遊技球の入賞を契機として行われる第１の抽選の結果に基づいて表示される図柄であり、大当たりを発生させるか否かを示す役割を持つ。また、装飾図柄は、特別図柄で示される第１の抽選の結果表示を視覚的に演出するための図柄であり、例えば、左右方向での複数列の変動図柄として表示面に表示される。
【００３２】
また、図１に示すように、センター飾り４１における右側部に設けられた開閉装置４４と、該開閉装置４４から球受け通路６６に連通するようにセンター飾り４１に形成された案内路５６と、該案内路５６を通過した後のステージに設けられた特別入賞口６３及び入賞口６４，６４とによって、第２大入賞装置（大入賞口）２８（図５も併せて参照）が構成されている。
【００３３】
開閉装置４４は、案内路５６の開口端となる第２大入賞口５９の下部にヒンジ（図示せず）を介して開閉自在に取り付けられた開閉部材４４ａと、該開閉部材４４ａを図１の実線位置と二点鎖線位置とに開閉動作させる第２大入賞口ソレノイド１３５（図５参照）と、第２大入賞口５９から入球して案内路５６内部を通過する遊技球を検出する入賞検出センサ１２３と、を備えている。
【００３４】
また、上記第２大入賞装置２８を通過した遊技球は、最終的に特別入賞口６３又は入賞口６４，６４のいずれかに入賞する。この際、特別入賞口６３の案内路内には入賞検出センサ１２４（図５参照）が備えられ、入賞口６４，６４の案内路内には入賞検出センサ１２５が備えられており、これら各入賞口に入賞した遊技球をそれぞれに検出する。
【００３５】
つぎに、センター飾り４１における開閉装置４４の下方、つまり遊技者が遊技球の右打ちを行った際に位置する遊技盤３の右下部（図２の紙面右下部）には、普通図柄作動ゲート１５が配設され、該普通図柄作動ゲート１５の有する開口部１５ａ左下部には合成樹脂材からなる略々板状のカバー部材８０が付設されている。該カバー部材８０は、下方端部が切り欠かれて細くなった先端部８０ａをなし、この切り欠かれた側の側面８０ｂは、後述する障害釘８３の左下部から左斜め上部にかけての外周面に沿うような一部曲面をなす形状となっている。このカバー部材８０における側面８０ｂと障害釘８３の外周面との間の距離は、約０．５ｍｍ前後の略々均等な幅の間隙となっている。
【００３６】
また、普通図柄作動ゲート１５における開口部１５ａの右下部には、同様な合成樹脂材からなる略々板状の板部材（軌道変更部材）８１が直下方に向かうように付設されている。この普通図柄作動ゲート１５下方でやや右方向（約遊技球半個分）へとずらした位置には、始動入賞装置５５が配設され、該始動入賞装置５５の通過始動口５５ａの左右端上方にはそれぞれ、命釘をなす障害釘（第２障害釘）８２と障害釘６８とが配設されている。
【００３７】
これら上記した、普通図柄作動ゲート１５、カバー部材８０、板部材８１、障害釘８２、障害釘６８、及び始動入賞装置５５は、板部材６７に搭載されることによって単一ユニットのアッシー部材４８として形成され、該アッシー部材４８の上部左右に設けられたネジ孔５７にネジ止めされることで遊技盤３に固定されている。
【００３８】
一方、普通図柄作動ゲート１５左下部におけるカバー部材８０近傍であって、該普通図柄作動ゲート１５の開口部１５ａの左端部下方には、障害釘（第１障害釘）８３が配設されている。これにより、開口部１５ａを通過した遊技球が落下した際には、該遊技球の左端部が上記障害釘８３へと当接し、該遊技球は、障害釘８３と略々水平をなす位置に配設されている板部材８１の方向や右斜め下部に位置する始動入賞装置５５側等へと弾かれるようになる。
【００３９】
続いて、パチンコ機１に設けられる遊技制御装置２００について図５を参照して説明する。ここで、図５は遊技制御装置２００の概要を示すブロック図である。この遊技制御装置２００は、図４で説明した主基板５０やサブ制御基板６０等から構成される（図５においては不図示）。
【００４０】
遊技制御装置２００には、始動入賞装置１３、始動入賞装置５５、普通図柄作動ゲート１５、普通電動役物１４、第１大入賞装置１６、第２大入賞装置２８、装飾図柄表示装置１２、普通図柄表示装置１７等が電気的に接続されて、各種検出信号及び制御信号の送受信が行われるようになっている。
【００４１】
遊技制御装置２００は、各入賞装置への入球（入賞）を判定する入球判定手段２１０と、始動入賞装置１３（通過始動口１３ａ）及び始動入賞装置５５（通過始動口５５ａ）への遊技球の入賞に基づき特別図柄抽選（第１の抽選）を実行する第１抽選手段２１２と、普通図柄作動ゲート１５での遊技球の通過に基づき普通図柄抽選を実行する第２抽選手段２１４と、大当たり抽選を実行する大当たり判定手段２１５と、特別図柄、装飾図柄、普通図柄の変動表示パターンを保持するパターン記憶手段２１６と、を備えている。
【００４２】
更に、遊技制御装置２００は、図柄変動における停止図柄及び変動表示の表示パターンを決定する図柄決定手段２２０と、図柄等の表示を制御する表示制御手段２３０と、大当たり遊技等の通常遊技よりも遊技者に有利な特別遊技を制御する特別遊技制御手段２４０と、確率変動遊技等の通常遊技よりも遊技者に有利な特定遊技を制御する特定遊技制御手段２６０と、第１大入賞装置１６や第２大入賞装置２８等の開閉制御を行う開閉制御手段２７０と、を備えている。
【００４３】
始動入賞装置１３の入賞検出センサ２３及び始動入賞装置５５の入賞検出センサ５３は、始動入賞装置１３又は５５への遊技球の入球（入賞）を検出し、第１始動入賞情報を出力する。入球判定手段２１０は、第１始動入賞情報を受信すると遊技球が通過始動口１３ａ、通過始動口５５ａを通過して始動入賞装置１３、５５に入球したことを判定する。始動入賞装置１３又は５５への入球が判定されると、第１抽選手段２１２は、保留球数が上限に達しているか否かを調べる。例えば、保留球数の上限は４つに設定されている。保留球数が上限に達していない場合、入球判定手段２１０が第１始動入賞情報を受信したタイミングで、第１抽選手段２１２は始動入賞に対する乱数を取得する。なお、第１抽選手段２１２は、数学的に乱数を生成して取得してもよく、また図示しないカウンタにより生成されるカウント値を乱数として取得してもよい。このようにして取得した乱数に基づいて、第１抽選手段２１２は特別図柄抽選（第１の抽選）の当否を判定する。なお、抽選の当否判定は、乱数の取得と同時に行われてもよく、また、特別図柄の変動を開始する直前に行われてもよく、所定の抽選ソフトウェアを利用して行われる。抽選乱数が当たりであった場合、第１抽選手段２１２は、確率変動付きの当たりであるか否か、もしくは、後述する「羽根特別当たり」であるか否かを決定する。
【００４４】
図柄決定手段２２０における特別図柄決定手段２２２及び装飾図柄決定手段２２４は、第１抽選手段２１２による判定結果に応じた停止図柄と、図柄変動の表示パターンとを決定する。停止図柄は、図柄変動の終了時に表示するべき図柄である。パターン記憶手段２１６は、特別図柄や装飾図柄を変動表示させるときの表示パターンとして複数種のパターンを保持する。表示パターンには、通常の外れ図柄を表示するときのパターンと、リーチ状態を経て大当たり図柄を表示するときのパターンとが含まれる。また、リーチ状態を経るときのパターンとして、長短様々な表示時間をもつパターンが含まれる。各表示パターンは、その図柄変動の終了条件として表示時間がそれぞれ定められており、その表示時間が経過すると、図柄変動が停止される。
【００４５】
特別図柄決定手段２２２は、第１抽選手段２１２による抽選結果に応じてパターン記憶手段２１６からいずれかのパターンを選択し、抽選結果に応じた特別図柄の停止図柄を決定する。装飾図柄決定手段２２４は、特別図柄決定手段２２２により選択された表示パターンに応じたパターンをパターン記憶手段２１６から選択し、抽選結果に応じた特別図柄の停止図柄を決定する。
【００４６】
普通図柄作動ゲート１５には通過検出センサ２５が設けられており、普通図柄作動ゲート１５での遊技球の通過を検出し、第２始動入賞情報を出力するようになっている。入球判定手段２１０は、第２始動入賞情報を受信すると遊技球が普通図柄作動ゲート１５を通過したことを判定する。普通図柄作動ゲート１５の通過が判定されると、第２抽選手段２１４は、第１抽選手段２１２と同様に、保留球数が上限に達しているか否かを調べ、保留球数が上限に達していない場合、入球判定手段２１０が第２始動入賞情報を受信したタイミングで、始動入賞に対する乱数を取得する。このようにして取得した乱数に基づいて、第２抽選手段２１４は普通図柄抽選（第２の抽選）の当否を判定する。なお、抽選の当否判定は、乱数の取得と同時に行われてもよく、また、特別図柄の変動を開始する直前に行われてもよく、所定の抽選ソフトウェアを利用して行われる。
【００４７】
図柄決定手段２２０における普通図柄決定手段２２６は、第２抽選手段２１４による抽選結果に応じてパターン記憶手段２１６からいずれかのパターンを選択し、抽選結果に応じた普通図柄の停止図柄を決定する。普通図柄決定手段２２６により決定された停止図柄が特定の図柄であった場合、開閉制御手段２７０が普通電動役物１４を所定時間（通常遊技時は約０．１秒間）だけ拡開作動させる。
【００４８】
表示制御手段２３０は、特別図柄、及び装飾図柄を変動表示させる第１表示制御手段２３１と、普通図柄を変動表示させる第２表示制御手段２３２と、を有して構成される。
【００４９】
第１表示制御手段２３１は、特別図柄決定手段２２２において決定された変動パターン及び停止図柄をもとに、装飾図柄表示装置１２の特別図柄表示部に特別図柄を表示させる。また同時に、第１表示制御手段２３１は、装飾図柄決定手段２２４において決定された変動パターン及び停止図柄をもとに、装飾図柄表示装置１２に装飾図柄を表示させる。第１表示制御手段２３１により特別図柄を表示させる機能は、主基板５０側の処理として実行され、装飾図柄を表示させる機能は、サブ制御基板６０側の処理として実行される。
【００５０】
第２表示制御手段２３２は、普通図柄決定手段２２６において決定された変動パターン及び停止図柄をもとに、普通図柄表示装置１７に普通図柄を表示させる。
【００５１】
特別遊技制御手段２４０は、条件保持手段２４２、条件判定手段２４６、特別遊技実行手段２４８、及び作動回避手段２５２を有しており、２種類の特別遊技を選択的に実行することができる。
【００５２】
条件保持手段２４２は、第１条件保持手段２４３及び第２条件保持手段２４４を有しており、２種類の特別遊技の作動条件を保持する。
【００５３】
第１条件保持手段２４３は、第１の特別遊技を実行するための条件である第１作動条件と、羽根特別遊技を実行するための条件である羽根特別遊技作動条件とを保持している。本実施形態において第１作動条件及び羽根特別遊技作動条件は、第１表示制御手段２３１により変動表示される特別図柄が所定の図柄で停止されたことにより設定される。詳細には、特別図柄が「３３３」又は「７７７」のパターンにて停止した際に羽根特別遊技作動条件が設定され、上記３及び７以外の１から９の間の数値にて所謂ゾロ目（例えば「１１１」）のパターンにて停止した際には第１作動条件が設定されるものとする。また、第２条件保持手段２４４は、第２の特別遊技を実行するための条件である第２作動条件を保持している。本実施形態において第２作動条件は、普通電動役物１４に遊技球が入賞（入球）したことにより設定される。
【００５４】
条件判定手段２４６は、遊技情報を監視し、特別遊技への移行条件である第１作動条件、第２作動条件、又は第３作動条件の成立の可否を判定する。また、条件判定手段２４６は、それぞれの作動条件の判定結果をもとに、各種作動フラグのオンまたはオフの設定を行う。
【００５５】
特別遊技実行手段２４８は、第１特別遊技実行手段２４９及び第２特別遊技実行手段２５０を有しており、所定の作動条件が成立したことに基づいて特別遊技を実行する。
【００５６】
第１特別遊技実行手段２４９は、第１作動条件が成立すると、第１の特別遊技を実行する。ここで、第１の特別遊技は、第１大入賞装置１６による第１大入賞口１６ａの開閉動作を複数回連続して継続する遊技であり、第１の特別遊技に移行すると、遊技者は特別遊技が行われていることを容易に認識することができると共に、相当数の賞球を期待することができる。このとき、第１特別遊技実行手段２４９は、開閉制御手段２７０に第１大入賞口１６ａの開閉制御を行わせる。開閉制御手段２７０は、第１の特別遊技中、第１大入賞装置１６の第１大入賞口ソレノイド２６に開放作動信号（もしくは、閉鎖作動信号）を出力し、第１大入賞口１６ａを開放（もしくは、閉鎖）させる。
【００５７】
また、第１特別遊技実行手段２４９は、羽根特別遊技作動条件が成立した際に開閉制御手段２７０にその旨の指令を送り、該開閉制御手段２７０における制御を羽根特別遊技の特有な設定に変更する。これは、普通電動役物１４における開放始動口１４ａの開閉回数を一度で２回（通常時は１回）に増加させ、かつ該開放始動口１４ａの開放時間を約２秒間（通常時は約０．１秒間）に長くさせるものである。このことにより、羽根特別遊技に移行した際には、第１の特別遊技の場合と同様、遊技者は特別な状態で遊技が行われていることを容易に認識することができると共に、相当数の賞球を期待することができるものとなる。
【００５８】
第２特別遊技実行手段２５０は、第２作動条件が成立すると、第２の特別遊技を実行する。ここで、第２の特別遊技における第１段階では、第２特別遊技実行手段２５０が、開閉制御手段２７０に開閉部材４４ａを所定時間だけ開放する制御を行わせる。このとき、開閉制御手段２７０は、開閉装置４４の第２大入賞口ソレノイド１３５に開放作動信号を出力し、開閉部材４４ａを回動させて開閉装置４４を開放動作させる。
【００５９】
上記第１段階の時点で、遊技球が特別入賞口６３へと入賞した場合には、第２特別遊技実行手段２５０は入賞検出センサ１２４からの信号を受信し、第２の特別遊技における第２段階へと移行させる。第２の特別遊技における第２段階は、開閉装置４４による開閉部材４４ａの開閉操作を複数回連続して継続する段階（遊技者に有利な状態）であり、この第２段階（遊技者に有利な状態）に移行すると、遊技者は、第１の特別遊技と同様に、相当数の賞球を期待することができる。このとき、第２特別遊技実行手段２５０は、開閉制御手段２７０に開閉部材４４ａの開閉制御を行わせる。開閉制御手段２７０は、第２段階の間、開閉装置４４の第２大入賞口ソレノイド１３５に開放作動信号（もしくは、閉鎖作動信号）を出力し、開閉部材４４ａを開放（もしくは、閉鎖）させる。
【００６０】
特別遊技制御手段２４０における作動回避手段２５２は、第１及び第２作動条件のいずれかの作動条件が成立した際、該成立状態にある作動条件は、他の作動条件の成立を回避させる機能を有する。
【００６１】
第１作動条件の成立は、第１の特別遊技への移行条件が成立したことを示し、第１の特別遊技が続く限り第１作動条件が成立しているものとする。ここで、第１作動条件の成立中であって、第１の特別遊技が実行されている間は、第２作動条件の成立は回避される。また、羽根特別遊技作動条件が成立している状態、つまり羽根特別遊技の状態にある場合に上記第１作動条件が成立した場合には、第１の特別遊技へと移行し、該第１の特別遊技の終了に伴って羽根特別遊技も終了する。また、第１の特別遊技が、例えば「３３３」の特別図柄のパターンによって成立した場合には、羽根特別遊技作動条件が成立したものとなるが、これに対する羽根特別遊技は、第１の特別遊技が終了した後から実行されるものとなる。
【００６２】
また、第２作動条件の成立は、第２の特別遊技の第１段階への移行条件が成立したことを示し、第１段階及び第２段階を通して第２の特別遊技が続く限り第２作動条件が成立しているものとする。ここで、第２作動条件の成立中であって、第２の特別遊技における第１段階または第２段階が実行されている間は、第１作動条件の成立は回避される。また、羽根特別遊技作動条件が成立している状態、つまり羽根特別遊技の状態にある場合に上記第２作動条件が成立した場合には、第２の特別遊技へと移行し、該第２の特別遊技が実行される。但し、該第２の特別遊技が終了した際にあっても羽根特別遊技は継続され、引き続き羽根特別遊技が実行された状態となる。また、上記したように、第２の特別遊技の実行中には、第１作動条件が成立することはないため、羽根特別遊技作動条件の成立も発生することはない。
【００６３】
特定遊技制御手段２６０は、特別遊技とは異なる遊技者に有利な特定遊技、例えば確率変動遊技の実行を制御する。本実施形態において、大当たり抽選は、第１抽選手段２１２による特別図柄抽選（第１の抽選）を指すものであり、この際の図柄抽選に対して確率変動遊技が設定可能とされる。
【００６４】
特定遊技制御手段２６０は、特定遊技実行手段２６２を有している。特定遊技実行手段２６２は、第１抽選手段２１２による抽選結果に基づいて、特別図柄の確率変動遊技を実行する。例えば、特別図柄の停止図柄が奇数であるときに、第１の特別遊技の終了後、特別図柄の確率変動遊技が実行される。なお、特別図柄の確率変動遊技における当たり発生の割合は、通常遊技のときよりも高く設定される。
【００６５】
開閉制御手段２７０は、上述したように、普通電動役物１４を所定時間だけ拡開動作させ、第１大入賞口１６ａを開放又は閉鎖させ、或いは、開閉部材４４ａを回動させて開閉装置４４を開放又は閉鎖させる制御を行う。
【００６６】
以上の構成を有するパチンコ機１においては、開閉装置４４により第２大入賞口５９が開放されたときに第２の抽選を行うことを可能にしていることから、第１抽選手段２１２を用いた第１の遊技（抽選）と、第２大入賞装置２８を用いた第２の遊技（抽選）とはそれぞれ独立して行われることとなる。これにより、２種類の遊技状態を効果的に組み合わせることが可能となり、それぞれによってもたらされる遊技性が十分に発揮され得るものとなっている。
【００６７】
上述したような構成を有したパチンコ機１は、図１に示すように、前枠８、ガラス扉５及び球皿２９がともに閉止され施錠された状態で遊技に供され、球皿２９に遊技球を貯留させて操作ハンドル１８を回動操作することにより遊技が開始される。操作ハンドル１８が回動操作されると、球皿２９に貯留された遊技球が打球発射装置により１球ずつ遊技盤３の遊技領域３ａに打ち出され、以降パチンコゲーム（弾球遊技）が展開される。
【００６８】
遊技領域３ａに打ち出された遊技球が、通過始動口１３ａを通過して始動入賞装置１３に入賞するか、もしくは通過始動口５５ａを通過して始動入賞装置５５に入賞すると、第１抽選手段２１２により所定の抽選ソフトウェアを利用した特別図柄抽選（第１の抽選）が行われ、装飾図柄表示装置１２において特別図柄及び装飾図柄が所定時間だけ変動表示される。ここで、変動停止時の特別図柄が大当たりを示す図柄であった場合には、第１の特別遊技へと移行する。特別図柄が大当たりの図柄で停止するとき、装飾図柄表示装置１２の表示面１２ａには、３つの図柄を一致させるようなパターン（表示態様）が表示される。なお、上記大当たりの図柄が「３３３」又は「７７７」のいずれかのパターンであった場合には、該第１の特別遊技が終了した後に、羽根特別遊技へと移行する。
【００６９】
上記第１の特別遊技に移行すると、第１大入賞装置１６の作動により第１大入賞口１６ａが開放される。そして、第１大入賞口１６ａが約３０秒間開放された後、または９球以上の遊技球が第１大入賞口１６ａを通過して第１大入賞装置１６に入賞した後には、第１大入賞口１６ａは一旦閉鎖される。第１の特別遊技中においては、上記したような開閉動作が所定回数継続して繰り返されるものとなる。
【００７０】
一方、遊技領域３ａに打ち出された遊技球が、普通図柄作動ゲート１５を通過した際には、第２抽選手段２１４により所定の抽選ソフトウェアを利用した普通図柄抽選（第２の抽選）が行われ、普通図柄表示装置１７において普通図柄が所定時間だけ変動表示される。なお、普通図柄は、例えば、装飾図柄表示装置１２における表示面の隅の方に（装飾図柄とは別に）変動表示させてもよく、また、他の表示装置において変動表示させるようにしてもよい。そして、変動停止時の普通図柄が所定の図柄（当たりを示す図柄）である場合には、普通電動役物１４が所定時間だけ開放される。
【００７１】
上記開放された普通電動役物１４に遊技球が入賞すると、第２の特別遊技における第１段階に移行し、第２大入賞口ソレノイド１３５の作動により開閉部材４４ａが開放され、開閉装置４４が所定時間だけ開放状態となる。この開閉装置４４が開放状態となった際に第２大入賞口５９から遊技球が入球すると、該遊技球は案内路５６に沿って転動移動し、特別入賞口６３に入賞する場合が生じる（いわゆる、一般的なＶゾーン入賞）。これにより、第２の特別遊技における第２段階へと移行するものとなる。そして、この特別入賞口６３内には入賞検出センサ１２４が設けられており、該入賞検出センサ１２４が遊技球を検出した際には、遊技者に対して所定数（例えば５個）の賞球が払い出される。また、特別入賞口６３に入賞しなかった遊技球は、その左右側部に設けられた入賞口６４，６４のいずれかへと入賞する。該入賞口６４内には入賞検出センサ１２５が設けられており、該入賞検出センサ１２５が遊技球を検出した際には、遊技者に対して所定数（例えば３個）の賞球が払い出される。
【００７２】
ついで、上記第１段階において、遊技球が特別入賞口６３に入賞した際には、開閉装置４４が所定期間（例えば７ラウンド）に亘って開閉動作を継続して行う第２の特別遊技における第２段階へと移行する。この第２段階にあっては、開閉部材４４ａの開放状態に開閉装置４４内に遊技球を入球させることがより多くの賞球を得るのにより有利となるため、遊技者は、開閉装置４４の配設されている遊技領域３ａの右方に向かって遊技球を打ち出す、いわゆる「右打ち」操作を行うように遊技する。
【００７３】
また、前述した第１の特別遊技における第１の抽選により、所定の特別図柄（「３」や「７」の図柄）にて大当りが確定し、該第１の特別遊技が実行された後には、羽根特別遊技へと移行する。この羽根特別遊技の実行状態にあっては、第２の抽選における一回の当たりに対して、普通電動役物１４の開放される回数が増えると共に、その開放される時間が長くなる。これにより、打ち出された遊技球が普通電動役物１４へと入賞し易い、遊技者にとって有利な状態が形成され、第２の特別遊技における第１段階及び第２段階へと移行し得る確率が格段に上昇するものとなる。
【００７４】
ここで、この羽根特別遊技が停止される際の条件は、始動入賞装置１３又は始動入賞装置５５への入賞を契機とした第１の抽選の回数が１００回を超えた場合、もしくは、第１の抽選による大当りが確定した場合、のいずれかとなっている。したがって、本パチンコ機１における羽根特別遊技において、何らかの原因によって遊技球が始動入賞装置５５に対して入賞し難い状態となった場合（つまり上記停止条件を満たすことが困難な状況となった場合）には、第２の特別遊技を無制限に発生させることが可能となり、遊技性が大きく阻害されるものとなる（いわゆる一発台の状態になる）。
【００７５】
この羽根特別遊技においては、第２の特別遊技の場合と同様、普通図柄作動ゲート１５を狙うことが遊技を有利に進めるものとなるため、遊技者は右打ちをすることによって普通電動役物１４や開閉装置４４への入賞を狙うように操作する。そして、遊技領域３ａの右下方へと落下した遊技球の中には、図３の遊技球Ｂａ１から遊技球Ｂａ２に示すように普通図柄作動ゲート１５を通過し、その下方に配設された障害釘８３へと当接するものが出てくる。
【００７６】
上記障害釘８３に当接した遊技球は、直接あるいは板部材８１に当接するなどしながら障害釘８２に当接し、図３の矢印（始動口経路）Ｘに示す第１の経路（図３の遊技球Ｂａ３参照）と、矢印（他の経路）Ｙに示す第２の経路（図３の遊技球Ｂａ４参照）とにその進路が振り分けられる。この第１の経路は、略々始動入賞装置５５が配設された側（略々右方向）に向かう経路で、ここを進行する遊技球は通過始動口５５ａから入球し得るようなものとなっている。また、上記第２の経路は、始動入賞装置５５が配設されていない側（略々左方向）に向かう経路で、該始動入賞装置５５へ意図的に入賞不可とさせるべく形成されたものとなっている。
【００７７】
ここで、仮に、上記カバー部材８０が付設されていない状態にあり、障害釘８３が、遊技球の当接等を理由として図３の矢印Ｅに示す方向で且つ側面８０ｂを超える位置にまで傾斜したとする。この場合、普通図柄作動ゲート１５を通過してきた遊技球は、障害釘８３にはほとんど当接せずに落下することにより、確実に第２の経路方向に誘導される状態、つまり前述した「一発台」の状態が生じる。
【００７８】
この「一発台」の状態にあっては、第１の経路に誘導される遊技球がなくなることにより、必然的に始動入賞装置５５への入賞もなくなる。したがって、羽根特別遊技に移行された状態にて、上記したような始動入賞装置５５への入賞がなくなった際には、第１の抽選の実行回数が加算されていかず、該抽選における大当りも当然に発生しないため、該羽根特別遊技における停止条件が成立せずに長く継続してしまうこととなる。
【００７９】
そこで、本実施の形態にあっては、図１ないし図３で示したように、始動入賞装置５５に面していない側の障害釘８３外周面の周囲を、カバー部材８０における側面８０ｂによって沿うように囲み込みつつ、カバー部材８０を障害釘８３の周囲に覆うように形成している。これにより、障害釘８３の保護を行うと共に、該障害釘８３が矢印Ｅ側に傾いた配設姿勢となることを抑制でき、本パチンコ機１が、前述したような一発台となることを可及的に防ぐことができるものとしている。なお、このカバー部材８０は、普通図柄作動ゲート１５の開口部１５ａ以外の周囲からの遊技球の当接を抑制し、障害釘８３に対して遊技球が無駄に当接することによって生じ得る磨耗や疲労割れ等を予防するものとなっている。
【００８０】
そして、遊技性の向上を根拠とし、本パチンコ機１においては、普通図柄作動ゲート１５を通過してきた遊技球を第１の経路と第２の経路とに誘導比率が１対４となるように誘導させるべく、障害釘８２，８３及び板部材８１の配設位置や配設姿勢が予め調整されているものとしている。ここで、本実施の形態におけるカバー部材８０は、前述したように障害釘８３の配設姿勢を可及的に変位させない機能を有していることから、例えばゴト師等により意図的に障害釘８３の配設姿勢が調整され、上記した１対４の誘導比率が変更されることを防ぐ抑止手段としても機能することとなる。
【００８１】
なお、本実施の形態では、本発明をいわゆる１種と２種の複合的なパチンコ遊技機に適用した例を挙げて説明した。しかし、本実施の形態で示した、普通図柄作動ゲート１５、障害釘６８、カバー部材８０、板部材８１、障害釘８２、障害釘８３、及び始動入賞装置５５といった装置や部材等を配設させるパチンコ遊技機であれば、上記した１種と２種との複合的なパチンコ遊技機に限らず、第１種特別電動役物の機能のみを有するいわゆる第１種パチンコ遊技機や他のパチンコ遊技機等にも適用し得る。
【００８２】
また、本実施の形態では、カバー部材８０と板部材８１とを合成樹脂からなるとして説明したが、適度な硬度と弾力を有する材料であれば金属あるいはゴム材等でもよく、その材質は特に限定されるものではない。
【００８３】
以上説明した本実施の形態では、パチンコ機１に、普通図柄作動ゲート１５の開口部１５ａ下方に配設され遊技球Ｂａを始動入賞装置５５側に誘導する障害釘８３と、障害釘８３からの遊技球Ｂａを矢印Ｘ，Ｙに示す経路に振り分ける障害釘８２と、を備え、さらに上記障害釘８３の外周面の少なくとも一部を沿うように配設されるカバー部材８０を備えさせる。これにより、障害釘８３は、遊技球Ｂａの当接等を理由とし、カバー部材８０が配設されている方向（例えば図３の矢印Ｅ方向）に対して両者の間隙（０．５ｍｍ程度）によって許容されている程度には傾くことが可能となるが、それ以上の傾斜姿勢に変位されることは抑制されるものとなる。これにより、遊技領域３ａに配設させた障害釘８３の当初の配設姿勢を可及的に保持させることができ、該障害釘８３に当接した遊技球Ｂａを安定して始動入賞装置５５の位置する側に誘導させることができることとなる。したがって、その後の障害釘８２による遊技球Ｂａの経路（第１又は第２の経路）の振り分けが適宜になされるようになり、普通図柄作動ゲート１５を通過した遊技球Ｂａの始動入賞装置５５への入賞状態が偏ることを抑制させることができる。
【００８４】
また、始動入賞装置５５の直上方で且つ障害釘８３と略々水平をなす位置に配設され、該障害釘８３からの遊技球Ｂａが当接した際に該遊技球Ｂａを主に障害釘８２と始動入賞装置５５とが位置する下方側に誘導する板部材８１を備えてなるので、障害釘８３に当接した後の遊技球Ｂａのうち、障害釘８２や始動入賞装置５５等に当接する可能性が低い、例えば障害釘８３の真横方向に跳躍するような遊技球Ｂａの進行方向をさらに軌道修正し、一層精度よく始動入賞装置５５が位置する板部材８１の下方側に誘導させることができるようになる。これにより、遊技球を始動入賞装置５５が位置する側へ導くと共に、始動入賞装置５５に入賞させる確率を上げることができるようになる。
【００８５】
また、カバー部材８０が、普通図柄作動ゲート１５、始動入賞装置５５、障害釘８２、板部材８１と共に単一ユニットをなすアッシー部材４８に搭載されるので、障害釘８３の特定方向への調整を不能にするカバー部材８０を、普通図柄作動ゲート１５や、障害釘８３の調整によってその遊技球Ｂａの接触動作が左右される始動入賞装置５５、障害釘８２、及び板部材８１等と共に、単一ユニットであるアッシー部材４８としてパチンコ機１に配設させることができるようになる。これにより、上記したような複数部品に係る位置決め等の手間を省くことができるものとなり、パチンコ機１の組み付け工程数を確実に低減させ、効率化を図ることができるようになる。
【００８６】
また、障害釘８３が、該障害釘８３に当接した後の遊技球Ｂａを、障害釘８２と板部材８１とによって第１の経路と第２の経路とに略々１対４の誘導比率となるように振り分ける配設姿勢に予め調整されてなるので、普通図柄作動ゲート１５を通過した遊技球Ｂａが始動入賞装置５５に入賞し得る確率を、当該パチンコ機１における設計時の仕様に略々忠実となる値、つまり１対４の誘導比率に近い状態で保たせることができるようになる。これにより、当該パチンコ機１の遊技性を有効に保持させることができるものとなる。
【００８７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８８】
【図１】本パチンコ機の外部構造を示す正面図である。
【図２】遊技領域を拡大して示す正面図である。
【図３】始動入賞口とスルーゲートを一体化したユニット部を示す正面図である。
【図４】本パチンコ機の背面構造を示す背面図である。
【図５】本パチンコ機の制御系を示すブロック図である。
【符号の説明】
【００８９】
１  遊技機（パチンコ機）
３ａ  遊技領域
１３  始動口（始動入賞装置）
１４  始動口（普通電動役物）
１５  ゲート部材（普通図柄作動ゲート）
１５ａ  通過孔（開口部）
１６  大入賞口（第１大入賞装置）
２８  大入賞口（第２大入賞装置）
４８  アッシー部材
５５  始動口（始動入賞装置）
８０  カバー部材
８１  軌道変更部材（板部材）
８２  第２障害釘（障害釘）
８３  第１障害釘（障害釘）
Ｂａ  遊技球
Ｘ  始動口経路（矢印）
Ｙ  他の経路（矢印）
【図１】
2007209665.tif 000003
【図２】
2007209665.tif 000004
【図３】
2007209665.tif 000005
【図４】
2007209665.tif 000006
【図５】
2007209665.tif 000007